(57)【要約】【課題】  フラッタが低減するディスクドライブを提供する。【解決手段】  光ディスク２８を収容するディスクトレイ１６の載置凹部１６ａ２の周縁に連続してピックアップ４５が接触しない状態に移動して位置可能に凹部１６ａ３を設ける。載置凹部１６ａ２の上方を覆って光ディスク２８を略同軸上に収容する略円筒形の収容空間１８を区画する回転子支持部材１７に、ディスクトレイ１６の凹部１６ａ３を収容空間１８に連続する状態に覆う覆い部１７ｃを、凹部１６ａ３に対応した略舌片状に一連に突出形成する。光ディスク２８が高速で回転しても、気流や光ディスク２８の両面における圧力差により発生するフラッタを低減でき、安定して光ディスク２８を回転できる。【選択図】 図１
2005135541.tif 000002
【特許請求の範囲】
【請求項１】
ディスク状記録媒体が略載置される平面部を備えたトレイと、前記平面部を略覆い前記ディスク状記録媒体を収容する収容空間を区画形成する覆い体と、前記ディスク状記録媒体を回転する回転駆動部と、前記ディスク状記録媒体に対して情報を記録または記録情報を読み取る情報処理部とを備え、前記トレイには前記情報処理部が前記ディスク状記録媒体の記録面に沿って移動するための開口部が設けられたディスク装置であって、
前記開口部は、前記平面部の内側に位置する内部開口部と外側に位置する外部開口部とを備え、
前記覆い体は、前記覆い体が前記内部開口部を覆う間隔よりも狭い間隔で前記外部開口部を覆う覆い部を備えた
ことを特徴としたディスク装置。
【請求項２】
請求項１に記載のディスク装置であって、
前記覆い部は、前記トレイの表面と近接して前記外部開口部を覆う
ことを特徴としたディスク装置。
【請求項３】
請求項１または請求項２に記載のディスク装置であって、
前記情報処理部は、光により前記ディスク状記録媒体に情報を記録あるいは前記ディスク状記録媒体に記録された情報を読み取るピックアップを有し、
前記外部開口部は、前記ピックアップが前記ディスク状記録媒体の外周近傍に位置したときも前記トレイに接触することなく移動可能とする開口部である
ことを特徴としたディスク装置。
【請求項４】
請求項１ないし請求項３のいずれかに記載のディスク装置であって、
前記覆い体は、前記覆い部を略舌片状に突出する状態に金属板をプレス加工することにより形成された
ことを特徴としたディスク装置。
【請求項５】
ディスク状記録媒体が略載置される平面部を備えたトレイと、前記平面部を略覆い前記ディスク状記録媒体を収容する収容空間を区画形成する覆い体と、前記ディスク状記録媒体を回転する回転駆動部と、前記ディスク状記録媒体に対して情報を記録または記録情報を読み取る情報処理部とを備え、前記トレイには前記情報処理部が前記ディスク状記録媒体の記録面に沿って移動するための開口部が設けられたディスク装置であって、
前記開口部は、前記平面部の内側に位置する内部開口部と外側に位置する外部開口部とを備え、
覆い体は、前記収容空間に収容される前記ディスク状記録媒体に対向する面に前記ディスク状記録媒体の外周縁の少なくとも一部に先端が対向する突出部を突設している
ことを特徴としたディスク装置。
【請求項６】
請求項５に記載のディスク装置であって、
前記突出部は、前記収容空間に収容される前記ディスク状記録媒体の中心を中心とした点対称の位置に複数設けられた
ことを特徴としたディスク装置。
【請求項７】
請求項５または請求項６に記載のディスク装置であって、
前記突出部は、互いを結ぶ線が前記開口の延びる方向に対して交差する
ことを特徴としたディスク装置。
【請求項８】
請求項５ないし請求項７のいずれかに記載のディスク装置であって、
前記突出部は、前記ディスク状記録媒体に対向する前記覆い体の面に一体に膨出形成された
ことを特徴としたディスク装置。
【請求項９】
請求項１ないし請求項８のいずれかに記載のディスク装置であって、
前記覆い体は、前記回転駆動部の前記ディスク状記録媒体を軸方向で挾持する一対の挾持部の一方を支持する支持部材である
ことを特徴としたディスク装置。
【発明の詳細な説明】
【技術分野】
【０００１】
本発明は、ディスク状記録媒体を回転駆動するディスク装置に関する。
【背景技術】
【０００２】
従来より、例えばＣＤ（Compact Disc）やＤＶＤ（Digital Versatile Disc）、ＨＤ（Hard Disk）などのディスク状記録媒体を回転駆動し、情報を適宜読み出しあるいは記録するディスク装置が広く利用されている。このディスク状記録媒体の回転の際、いわゆるフラッタと称されるディスク状記録媒体の回転時におけるばたつきが発生することが知られている。そこで、ディスク状記録媒体の回転時におけるフラッタを低減する構成が知られている（例えば、特許文献１および特許文献２参照）。
【０００３】
特許文献１に記載のものは、磁気ディスク装置のディスクの外周とシュラウドの内壁との間が所定の距離に狭小化し、ディスクの表裏の空気圧力差の発生を無くしてフラッタの振幅を小さくしている。また、特許文献２に記載のものは、ディスクの一面とこのディスクの一面に対向するベースおよびカバーの静止壁面との間の隙間を１ｍｍ以下にし、ディスク回転時に発生する空気流の圧力差にて発生するフラッタ振動を小さくしている。さらに、特許文献２に記載のものは、磁気ヘッド近傍のシュラウドのアクチュエータ室側部分に、シュラウドとの間にラビリンスを形成させるシュラウド部材をカバーに設け、アクチュエータ室を回った空気流が磁気ヘッド近傍に流れ込まないようにし、磁気ヘッドの振動を抑制している。
【０００４】
【特許文献１】特開平１１−２３２８６６号公報（第３頁左欄−第４右欄）
【特許文献２】特開２００１−３３８４８２号公報（第２頁右欄−第３頁右欄）
【発明の開示】
【発明が解決しようとする課題】
【０００５】
ところで、情報の読み取りあるいは記録のための時間の短縮化のために、ディスク状記録媒体の回転速度の高速化が進んでいる。このため、回転速度の高速化に伴って、フラッタの発生も顕著となってきている。特に、記録される情報の高密度化の要請により、フラッタの低減が望まれている。
【０００６】
本発明の目的は、このような実情などに鑑みて、フラッタが低減するディスク装置を提供することである。
【課題を解決するための手段】
【０００７】
請求項１に記載の発明は、ディスク状記録媒体が略載置される平面部を備えたトレイと、前記平面部を略覆い前記ディスク状記録媒体を収容する収容空間を区画形成する覆い体と、前記ディスク状記録媒体を回転する回転駆動部と、前記ディスク状記録媒体に対して情報を記録または記録情報を読み取る情報処理部とを備え、前記トレイには前記情報処理部が前記ディスク状記録媒体の記録面に沿って移動するための開口部が設けられたディスク装置であって、前記開口部は、前記平面部の内側に位置する内部開口部と外側に位置する外部開口部とを備え、前記覆い体は、前記覆い体が前記内部開口部を覆う間隔よりも狭い間隔で前記外部開口部を覆う覆い部を備えたことを特徴としたディスク装置である。
【０００８】
請求項５に記載の発明は、ディスク状記録媒体が略載置される平面部を備えたトレイと、前記平面部を略覆い前記ディスク状記録媒体を収容する収容空間を区画形成する覆い体と、前記ディスク状記録媒体を回転する回転駆動部と、前記ディスク状記録媒体に対して情報を記録または記録情報を読み取る情報処理部とを備え、前記トレイには前記情報処理部が前記ディスク状記録媒体の記録面に沿って移動するための開口部が設けられたディスク装置であって、前記開口部は、前記平面部の内側に位置する内部開口部と外側に位置する外部開口部とを備え、覆い体は、前記収容空間に収容される前記ディスク状記録媒体に対向する面に前記ディスク状記録媒体の外周縁の少なくとも一部に先端が対向する突出部を突設していることを特徴としたディスク装置である。
【発明を実施するための最良の形態】
【０００９】
〔第１の実施の形態〕
以下、本発明の第１の実施の形態を図面に基づいて説明する。本実施の形態では、ディスク状記録媒体として光ディスクに情報を記録および読み出すディスク装置としてのディスクドライブを例示して説明するが、例えば携帯型のディスク装置やディスクドライブを備えた例えば映像データの録画などの記録や再生のための処理をする再生装置、記録装置あるいはゲーム機など、光ディスクに限らず、磁気ディスク、光磁気ディスクなどのいずれのディスク状記録媒体に各種情報を記録あるいは読み出すいずれのディスク装置を対象とすることができる。また、ディスク状記録媒体の平面が略水平方向に沿って装着される利用形態で説明するが、平面が略鉛直方向に沿って装着される利用形態でも適用できる。
【００１０】
（ディスクドライブの構造）
図１は、本実施の形態のディスクドライブの構成を示す分解斜視図である。図２は、後退したホームポジションのディスクトレイと回転子支持部材との関係を示す平面図である。図３は、図２における側面断面図である。
【００１１】
図１において、１００はディスクドライブで、このディスクドライブは、金属製のケース体１０を有している。このケース体１０は、下面および前面が２面に亘って開口する上ケース１１と、この上ケース１１の下面を閉塞する下ケース１２と、上ケース１１の前面を閉塞する化粧板１３とを有している。
【００１２】
そして、上ケース１１は、長方形平板状の天板部１１ａと、天板部１１ａの長手方向の両側縁に略垂直で一連に折曲形成された側板部１１ｂと、天板部１１ａの長手方向の一端縁に側板部１１ｂと同方向に略垂直で一連に折曲形成された図示しない端板部とにより、下面および前面を開口して形成されている。この上ケース１１の側板部１１ｂの下端縁には、複数箇所、例えば２箇所内方に向けて折曲形成され図示しないねじ孔が穿設された取付片部１１ｄが設けられている。
【００１３】
また、下ケース１２は、上ケース１１の天板部１１ａと略同形状の長方形平板状に形成されている。この下ケース１２には、天板部１１ａの取付片部１１ｄに対応して上方に向けて膨出するように屈曲され、ねじ孔１２ａが穿設された取付ダボ１２ｂが設けられている。
【００１４】
さらに、化粧板１３は、例えばアクリロニトリル−ブタジエン−スチレン（ＡＢＳ；Acrylonitrile-Butadiene-Styrene）などの合成樹脂製の略板状に形成されている。この化粧板１３には、一面に略垂直に突出され、先端部にそれぞれ上ケース１１の側板部１１ｂおよび下ケース１２に係脱可能に係合する図示しない係合爪部が突設されている。また、化粧板１３には、長手方向となる左右方向に長手状の窓部１３ａが開口形成されている。さらに、化粧板１３には、スイッチ操作部１３ｂと、動作確認窓１３ｃとが設けられている。
【００１５】
また、ケース体１０は、剛性および絶縁性を有した例えばＡＢＳなどの合成樹脂製の枠体１５を備えている。この枠体１５は、上ケース１１、下ケース１２および化粧板１３にて内部に区画される内部空間内に配設されている。そして、枠体１５は、上ケース１１の側板部１１ｂの内面に密着する側面部１５ａと、上ケース１１の端板部の内面に密着する端面部１５ｂと、側面部１５ａおよび端面部１５ｂの内面側に内方に向けて突出する支持リブ１５ｃと、側面部１５ａの端面部１５ｂと反対側の端部に架橋するように設けられた開閉駆動配設部１５ｄとを有し、軸方向の両端面を開口する略四角枠状に形成されている。また、枠体１５の側面部１５ａには、上ケース１１の取付片部１１ｄおよび下ケース１２の取付ダボ１２ｂ間に挾持されてねじ止めされる取付リブ部１５ｅが設けられている。
【００１６】
また、この枠体１５には、本体部２０が配設されている。この本体部２０は、例えば金属製の平板枠状に形成された台座部２１を有している。この台座部２１は、枠体１５の端面部１５ｂから突出する支持リブ１５ｃに一縁が上下方向に回動可能に他縁がねじ止めされて取り付けられている。この台座部２１の一縁には、回動案内部２２が一体的に取り付けられている。この回動案内部２２は、台座部２１が一体的にねじにて取り付けられる台座部２１の一縁に沿って長手状の取付保持部２２ａと、この取付保持部２２ａの長手方向の両端部に略垂直に一体的に突設され先端が枠体１５の側面部１５ａから突出する支持リブ１５ｃに回動可能に軸支される一対の回動腕部２２ｂとを有している。そして、台座部２１は、回動案内部２２により、回動が案内される。
【００１７】
さらに、台座部２１には、回動する一縁側に位置して回転駆動部としてのディスク回転駆動手段２５が配設されている。このディスク回転駆動手段２５は、例えばスピンドルモータなどの回転用電動モータ２６と、この回転用電動モータ２６の図示しない出力軸に一体的に設けられた一方の挾持部材としてのターンテーブル２７とを有している。このターンテーブル２７は、光ディスク２８の中心に開口形成された軸孔２８ａに嵌挿する略円柱状の回転軸２７ａと、この回転軸２７ａの外周面にフランジ状に突設され光ディスク２８の軸孔２８ａ周縁が載置される鍔部２７ｂとを有している。そして、ターンテーブル２７の回転軸２７ａの先端部には、図示しない磁石が埋設されている。
【００１８】
また、台座部２１には、移動手段３１が配設されている。この移動手段３１は、一対のガイドシャフト３２および移動用電動モータ３３を備えている。そして、一対のガイドシャフト３２は、台座部２１の軸支された他縁から回動側の一縁へ向けた方向に軸方向を有して配設されている。さらに、移動用電動モータ３３は、図示しない出力軸の軸方向がガイドシャフト３２の軸方向に沿う状態で配設されている。この移動用電動モータ３３の出力軸の外周面には、螺旋状に図示しない係合溝が設けられている。
【００１９】
さらに、移動手段３１には、再生手段４１が配設されている。この再生手段４１は、一対のガイドシャフト３２に架橋する状態で保持された図示しない移動保持部を有している。この移動保持部には、ガイドシャフト３２を移動可能に嵌挿する図示しない保持部と移動用電動モータ３３の出力軸の係合溝に係合する図示しない移動規制爪部が設けられている。また、再生手段４１の移動保持部には、図示しない光源と、この光源からの光を収束するレンズと、光ディスク２８から反射された光を検出する図示しない光センサとを備えた情報処理部としてのピックアップ４５が配設されている。
【００２０】
また、枠体１５には、この枠体１５の内側に支持リブ１５ｃの上方側で水平方向に進退可能に移動するディスクトレイ１６が配設されている。このディスクトレイ１６は、図１ないし図３に示すように、例えば合成樹脂にて略長方形板状に形成されたトレイであるトレイ部１６ａを有している。このトレイ部１６ａの一面には、上方に向けて拡開する略円形凹状で光ディスク２８が載置可能な平面部である平面１６ａａを有し光ティスク２８を収容する載置凹部１６ａ１が設けられている。また、トレイ部１６ａには、載置凹部１６ａ１の略中央から外周縁に亘って本体部２０のディスク回転駆動手段２５および再生手段４１に対応して開口する内側開口部としての開口部１６ａ２が形成されている。さらに、トレイ部１６ａには、移動するピックアップ４５が接触することなく挿入可能な凹状で、開口部１６ａ２の載置凹部１６ａ１の外周側にこの開口部１６ａ２に連続する開口部としての凹状の外側開口部としての凹部１６ａ３が切欠形成されている。この凹部１６ａ３は、収容空間１８に収容された光ディスク２８の最外周に記録された情報を読み取りあるいは最外周の位置に情報を記録する際にピックアップ４５が光ディスク２８の最外周に対応して位置してもトレイ部１６ａに当接しないように形成されている。そして、このトレイ部１６ａの長手方向の一縁には、化粧板１３と同材質にて形成され、ケース体１０の化粧板１３の窓部１３ａを閉塞する長手板状の窓閉塞板部１６ｂが着脱可能に取り付けられている。
【００２１】
そして、枠体１５には、図１に示すように、開閉駆動配設部１５ｄに位置して開閉駆動手段５０が配設されている。この開閉駆動手段５０は、互いに係合して開閉駆動配設部１５ｄに回転自在に軸支された駆動伝達プーリ５２、この駆動伝達プーリ５２に係合する駆動伝達ギヤ５３、およびこの駆動伝達ギヤ５３に係合するとともにディスクトレイ１６に係合する移動ギヤ５４を有している。また、開閉駆動手段５０には、出入用電動モータ５５を備えている。この出入用電動モータ５５の出力軸５５ａには、プーリ５６が一体的に設けられている。このプーリ５６と駆動伝達プーリ５２とには無端ベルト５７が掛け渡され、出入用電動モータ５５の駆動により、プーリ５６、駆動伝達プーリ５２、駆動伝達ギヤ５３および移動ギヤ５４が回転し、ディスクトレイ１６が化粧板１３の窓部１３ａから進退可能に移動される。
【００２２】
また、開閉駆動手段５０は、枠体１５の開閉駆動配設部１５ｄに側面部１５ａの対向方向に沿って移動可能に配設された移動カム５８を有している。この移動カム５８は、台座部２１に一体的に取り付けられた回動案内部２２に係合するとともに、駆動伝達ギヤ５３に係合し、出入用電動モータ５５の駆動にて駆動伝達ギヤ５３が回転すると、移動カム５８が移動して台座部２１を上下方向に回動させる。なお、移動カム５８は、ディスクトレイ１６が後退して枠体１５内に位置する状態で台座部２１を上方に回動させ、ディスクトレイ１６が進退移動する際には、台座部２１が下方に回動されてディスクトレイ１６と干渉しないようになっている。
【００２３】
そして、上述したディスク回転駆動手段２５、移動手段３１、再生手段４１および開閉駆動手段５０により、本体部２０が構成される。
【００２４】
また、枠体１５には、側面部１５ａ間に架橋する状態でねじにて固定される覆い体としての支持部材である回転子支持部材１７が設けられている。この回転子支持部材１７は、図１ないし図３に示すように、例えば金属板がプレス加工されて形成され、周縁が一面側に拡開する状態に傾斜して略薄型皿状に形成されている。そして、回転子支持部材１７の一縁がディスクトレイ１６の載置凹部１６ａ１に対応する円弧状に形成され、載置凹部１６ａ１を略覆って光ディスク２８が収容される収容空間１８を区画形成する。また、回転子支持部材１７には、円弧状の一縁の中心と略同位置となる略中央に、ディスク回転駆動手段２５のターンテーブル２７に対向する位置に上方に向けて凹状の支持凹部１７ａが設けられている。この支持凹部１７ａの略中央には、支持孔１７ｂが開口形成されている。この回転子支持部材１７の支持凹部１７ａには、他方の挾持部材としての回転子２９が回転可能に載置されている。そして、回転子２９は、略円盤状で、外周縁が支持孔１７ｂの周縁に係合可能に形成されている。また、この回転子２９には例えば金属板などの図示しない磁性材料が一体的に取り付けられ、回転子２９はターンテーブル２７の磁石の磁力にて光ディスク２８をターンテーブル２７とにより挾持する。
【００２５】
さらに、回転子支持部材１７には、円弧状の一縁と反対側の縁にディスクトレイ１６の凹部１６ａ３に対応する形状である略舌片状の覆い部１７ｃが一連に突設されている。この覆い部１７ｃは、収容空間１８に収容された光ディスク２８に対向する面よりディスクトレイ１６に近接する状態に折曲された基端傾斜部１７ｃ１、この基端傾斜部１７ｃ１の先端縁に一連に折曲形成され光ディスク２８に略平行に対向する図示しないディスク対向面１７ｃａを有した平行部１７ｃ２、この平行部１７ｃ２の先端に一連に折曲形成され先端がディスクトレイ１６の載置凹部１６ａ１より外側の上面に向けて傾斜する先端傾斜部１７ｃ３、および、この先端傾斜部１７ｃ３の先端縁に一連に折曲形成されディスクトレイ１６の載置凹部１６ａ１より外側の上面に接触することなく近接して略平行に対向する対向部１７ｃ４が折曲形成されている。すなわち、覆い部１７ｃは、ディスクトレイ１６に近接する状態に複数折曲され回転子支持部材１７がトレイ部１６ａに対向する間隙より狭い間隙で凹部１６ａ３に対向する状態に略舌片状に突出形成されている。
【００２６】
また、枠体１５には、図１に示すように、回路基板６０が取り付けられている。この回路基板６０は、枠体１５に設けられた図示しない基板取付爪部により係脱可能に取り付けられる。回路基板６０は、ケース体１０の下ケース１２と略同寸法の平板状で、枠体１５の下面を閉塞して本体部２０を覆うように取り付けられる。この回路基板６０には、本体部２０の動作を制御する制御回路が搭載されている。
【００２７】
（ディスクドライブの動作）
次に、上記一実施の形態のディスク装置１００の動作を説明する。
【００２８】
まず、ディスク装置１００に電力を供給する。そして、利用者は、化粧板１３のスイッチ操作部１３ｂを操作する。このスイッチ操作部１３ｂの操作により、回路基板６０に設けられた図示しないスイッチが開閉し、回路基板６０の制御回路が開閉駆動手段５０の出入用電動モータ５５を駆動させる。この出入用電動モータ５５の駆動により、プーリ５６、駆動伝達プーリ５２、駆動伝達ギヤ５３および移動ギヤ５４が回転し、移動ギヤ５４に係合するディスクトレイ１６が化粧板１３の窓部１３ａから進出する方向に移動する。この移動の際、開閉駆動手段５０の移動カム５８も移動し、この移動カム５８に係合する回動案内部２２が下方に向けて回動し、台座部２１が下方に向けて回動され、本体部２０が進出するディスクトレイ１６と干渉しないように待避する。
【００２９】
この進出したディスクトレイ１６の載置凹部１６ａ１に光ディスク２８を、この光ディスク２８の記録面が下方に向く状態で載置する。この後、再び化粧板１３のスイッチ操作部１３ｂを操作し、開閉駆動手段５０の出入用電動モータ５５を回転駆動させ、ディスクトレイ１６を窓部１３ａ内に後退させホームポジションに位置させる。このディスクトレイ１６の後退の際、下方に待避状態の本体部２０が台座部２１とともに移動カム５８に係合する回動案内部２２により上方に向けて移動される。この本体部２０の上方への回動により、ディスク回転駆動手段２５のターンテーブル２７の回転軸２７ａが光ディスク２８の軸孔２８ａに嵌挿する。さらに、ターンテーブル２７の磁石の磁力により、ターンテーブル２７と回転子２９との間に光ディスク２８が挟持固定される。
【００３０】
この状態で、回路基板６０の制御回路が本体部２０を制御し、ディスク回転駆動手段２５の回転用電動モータ２６にて回転される光ディスク２８に記録された情報を、移動手段３１にて適宜移動される再生手段４１のピックアップにて読み取る、あるいは記録する。この光ディスク２８の回転時、例えば６５００〜７０００回転／分以上の比較的に高速な回転速度で回転されていても、ディスクトレイ１６の凹部の上方は、回転子支持部材１７の覆い部１７ｃにて覆われているため、光ディスク２８の回転により発生する気流にてフラッタが発生したり、光ディスク２８の両面における圧力差によりフラッタが発生したりすることが防止され、光ディスク２８は安定して回転される。
【００３１】
（第１の実施の形態における作用効果）
上述したように、上記実施の形態では、ディスクトレイ１６に設けられ光ディスク２８の情報が記録される記録面に対向し光ディスク２８が載置される平面１６ａａを有した載置凹部１６ａ１の上方を略覆って光ディスク２８を略同軸上に収容する略円筒形の収容空間１８を区画する回転子支持部材１７に、収容空間１８に収容される光ディスク２８の外周縁から外方に位置、すなわち平面１６ａａの外側に位置する凹部１６ａ３を、回転子支持部材１７における平面１６ａａに対向する間隙である開口部１６ａ２を覆う間隔より狭い間隔で覆う覆い部１７ｃを設けている。このため、光ディスク２８の回転により凹部１６ａ３を介した収容空間１８とその外部との空気の出入りが抑制され、例え光ディスク２８が高速で回転されても、気流や光ディスク２８の両面における圧力差などにより発生するフラッタを低減でき、安定して光ディスク２８を回転できる。したがって、光ディスク２８の高速回転が可能となり、情報の読み取りや記録するための処理時間を短縮できるとともに、回転が安定しているので、記録する情報の高密度化が容易に図れ、記録する情報量の増大が容易に図れる。
【００３２】
そして、ディスクトレイ１６の凹部１６ａ３を覆う覆い部１７ｃを、光ディスク２８を軸方向で挾持する他方の回転子２９を支持する回転子支持部材１７に一連に設けている。このため、別体に設ける構成に比して、覆い部１７ｃを容易に形成でき、製造性の向上も容易に図れる。
【００３３】
また、覆い部１７ｃをディスクトレイ１６に近接する状態に複数折曲した形状に形成している。このため、簡単な構成で凹部１６ａ３を覆った状態での収容空間１８の気密性が向上し、簡単な構成でよりフラッタの発生を低減できる。
【００３４】
さらに、覆い部１７ｃが凹部１６ａ３に対応する略舌片状に突出する状態に金属板をプレス加工することで回転子支持部材１７を形成している。このため、覆い部１７ｃを設けた回転子支持部材１７でも、従来の製造方法を変更することなく、一動作で容易に成形できる。
【００３５】
そしてさらに、覆い部１７ｃとして、ピックアップ４５が接触しないように設けた凹部１６ａ３に対応する略舌片状に形成している。このため、最小限の大きさでかつ簡単な形状でフラッタを防止でき、大型化を防止できる。
【００３６】
また、覆い部１７ｃの先端部に、ディスクトレイ１６の上面に略平行に屈曲形成された対向部１７ｃ４を設けている。このため、凹部１６ａ３を覆った状態での収容空間１８の気密性が簡単な構造で容易に得られ、簡単な構成でフラッタの発生を確実に防止でき、より安定した光ディスク２８の回転が容易に得られる。
【００３７】
〔第２の実施の形態〕
次に、本発明の第２の実施の形態を図面に基づいて説明する。この第２の実施の形態は、上述した第１の実施の形態の回転子支持部材１７の形状を代えたもので、他の構成については同様であることから、同一の符号を付して説明を省略する。図４は、後退したホームポジションのディスクトレイと回転子支持部材との関係を示す平面図である。図５は、図４における正面断面図である。
【００３８】
（回転子支持部材の構成）
ディスク装置１００は、第１の実施の形態と同様の枠体１５を備えている。そして、この枠体１５には、図４および図５に示すように、例えば金属板がプレス加工されて略数型皿状に形成され、側面部１５ａ間に架橋する状態でねじにて固定される覆い体としての支持部材である回転子支持部材２１０が設けられている。この回転子支持部材２１０は、第１の実施の形態の回転子支持部材２１０と同様に、一縁がディスクトレイ１６の載置凹部１６ａ１に対応する円弧状に形成され、載置凹部１６ａ１を略覆って光ディスク２８が収容される収容空間１８を区画形成する。また、回転子支持部材２１０には、円弧状の一縁の中心と略同位置となる略中央に、ディスク回転駆動手段２５のターンテーブル２７に対向する位置に上方に向けて凹状で回転子２９を載置支持する支持凹部１７ａが設けられている。
【００３９】
さらに、回転子支持部材２１０には、円弧状の一縁と反対側の縁に、支持凹部１７ａが膨出する側に膨出する状態に補強用のリブ２１１が絞り加工にて形成されている。この補強用のリブ２１１は、収容空間１８に収容された光ディスク２８の外周縁に対応する位置に設けられている。また、回転子支持部材２１０には、枠体１５に取り付けられる縁近傍に位置して、収容空間１８を区画する下面の周縁から径方向にリブ状の突出部２１２が、対向するトレイ部１６ａに向けて膨出するように収容空間１８に収容される光ディスク２８の径方向に対応して一対設けられている。すなわち、トレイ部１６ａの開口部１６ａ２の開口する長手方向に対して、交差方向である略直交する方向にリブ状でかつ略直交する方向に互いが対向する状態に一対、いわゆる収容空間１８に収容される光ディスク２８の中心を中心として点対称に設けられている。そして、リブ２１１および突出部２１２は、基端側が径大となるように周面が傾斜して絞り加工されている。すなわち、回転子支持部材２１０のプレス加工の際に一連に形成される。
【００４０】
（第２の実施の形態における作用効果）
このように、ディスクトレイ１６に設けられ光ディスク２８の情報が記録される記録面に対向する平面１６ａａを有した載置凹部１６ａ１の上方を略覆って光ディスク２８を略同軸上に収容する略円筒形の収容空間１８を区画する回転子支持部材１７に、収容空間１８を区画し光ディスク２８に対向する下面で光ディスク２８の外周縁の少なくとも一部に先端が対向する状態に突出部２１２を突設している。このため、光ディス２８の回転により生じる気流が突出部２１２により光ディスク２８に向けて吹き付けられる状態となり、フラッタにより傾斜する状態を押さえ付けるように気流が作用し、例え光ディスク２８が高速で回転されても、気流や光ディスク２８の両面における圧力差などにより発生するフラッタを低減できる。また、仮にフラッタが生じても、フラッタにより傾斜が大きくなる光ディスク２８の記録面ではない面の外周側が突出部２１２の先端に当接して光ティスク２８の傾きを抑制できる。したがって、ピックアップ４５と記録面との距離が大きく変動することを防止でき、良好な常用の記録や読み取りができる。よって、光ディスク２８の高速回転が可能となり、情報の読み取りや記録するための処理時間の短縮が容易に図れる。
【００４１】
そして、突出部２１２は、回転子支持部材２１０の収容空間１８を区画する面の外周縁から径方向である収容空間１８に収容される光ディスク２８の中心に対応する位置に向けてリブ状に形成している。このため、光ディスク２８の外周側から径方向に亘る位置に対応して突出部２１２が設けられているので、簡単な構造で気流や光ディスク２８の両面における圧力差などにより発生するフラッタを低減でき、また仮にフラッタが生じても光ディスク２８の傾きを良好に抑制できる。特に、径方向で一対設けているため、光ディスク２８に対して突出部２１２が対称的に作用し、簡単な構成でフラッタを抑制できる。
【００４２】
また、突出部２１２の基端側が径大となるように周面が傾斜する状態に設けている。このため、光ディスク２８の回転により生じる気流が傾斜する周面にて円滑に光ディスク２８に向けて案内され、光ディスク２８に向けて押さえ付ける状態に気流が吹き付ける状態となり、簡単な構成で良好にフラッタを低減できるとともに、突出部２１２による気流の乱流が生じにくくなり、騒音の発生なども低減できる。
【００４３】
さらに、一対の突出部２１２を、ピックアップ４５が位置する開口部１４６ａ２の長手方向に対して略直交する方向で互いに対向する状態で径方向すなわち点対称に設けている。このため、効率よく光ディスク２８のフラッタを抑制でき、光ディスク２８の良好な回転が簡単な構成で容易に得られる。
【００４４】
そして、突出部２１２を回転子支持部材２１０のプレス加工の際に合わせて絞り加工にて一体的に膨出する状態に形成している。このため、フラッタを低減するための突出部２１２が、従来の製造方法を変更することなく、一動作で容易に形成できる。
【００４５】
また、第１の実施の形態と同様に、光ディスク２８を軸方向で挾持する他方の回転子２９を支持する回転子支持部材１７に突出部２１２を一連に設けている。このため、別体に設ける構成に比して、突出部２１２を容易に形成でき、製造性の向上も容易に図れる。
【００４６】
そして、回転子支持部材２１０に、光ディスク２８の外周縁に対応する位置に、突出部２１２と同様に光ディスク２８に向けて突出する状態に補強用のリブ２１１を形成している。このため、補強用のリブ２１１も突出部２１２と同様に作用し、よりフラッタを低減でき、１つの構成で補強とフラッタの低減の双方が得られ、機能の多様化による構成の簡略化が容易に図れる。
【００４７】
〔実施形態の変形〕
なお、本発明は、上述した一実施の形態に限定されるものではなく、本発明の目的を達成できる範囲で以下に示される変形をも含むものである。
【００４８】
すなわち、本発明のディスク装置１としては、上述したように、光ディスク２８を対象とした構成に限らず、磁気ディスク、光磁気ディスクなど、光や磁気などにより情報を再生あるいは記録可能ないずれのディスクを対象とすることができる。
【００４９】
また、ディスク装置１００として開閉駆動手段５０により移動するディスクトレイ１６を備えた構成について説明したが、例えばディスクトレイ１６を設けず、光ディスク２８を化粧板１３の窓部１３ａから挿入して、内部に配設した回転体などにより光ディスク２８の挿入および排出をする搬送装置を設けた構成や、ＭＤ（Mini Disk）などのようにケース内に光ディスク２８が回転自在に収容されたものを窓部１３ａから直接挿入あるいは排出する構成、あるいは光ディスク２８を所定のケース内に収容し、このケースを挿入あるいは排出する構成、さらには例えば携帯型のディスク装置のように、開閉駆動手段５０も備えずケース体１０が上ケース１１により本体部２０の上方を開閉可能に覆う構成で、直接光ディスク２８を載置せずに記録面に対向するトレイを有し光ディスク２８を所定の位置に装着した後にディスクを覆うように上ケース１１を回動する構成など、いずれの構成でもできる。
【００５０】
なお、例えば移動するディスクトレイ１６を設けない構成においても、載置凹部１６ａ１に連続してピックアップ４５が接触しないように設けた凹部１６ａ３に対応する位置に覆い部１７ｃを設けたり、光ディスク２８の記録面が対向し開口部１６ａ２が開口する面に対向して収容空間１８を区画する面に突出部２１２を設ければよい。具体的には、例えば携帯型のディスク装置のように蓋体として機能する上ケース１１の載置凹部１６ａ１に対向する下面に覆い部１７ｃを設けたり、上ケース１１の光ディス２８の周縁に対応する位置に突出部２１２を設けるなどしてもよい。すなわち、回転子２９を用いない構成でも適用できる。そして、一体的に設ける構成に限らず、別体の覆い部１７ｃや突出部２１２を取り付ける構成としてもよい。
【００５１】
さらに、覆い部１７ｃを凹部１６ａ３に対応する略舌片状に形成して説明したが、凹部１６ａ３を覆ういずれの形状とすることができる。同様に、突出部２１２についても、基端側が径大となるように周面が傾斜する形状に限らず、柱状に膨出形成したり、一対に限らず、複数設けてもよい。さらには、光ディスク２８の外周縁に対応するように円周状に突出部２１２を設けるなど、少なくとも光ディスク２８の外周縁の少なくとも一部に向けて突出するいずれの形状とすることができる。
【００５２】
そして、略箱状のケース体１０内に枠体１５を包み込むように収容する構成について説明したが、枠体１５の一部がケース体１０から露出する構成や枠体１５の一部にてケース体１０を構成するように枠体１５の少なくとも一部がケース体１０内に収容されて本体部２０が露出しないように覆う構成としたものでも適用できる。
【００５３】
また、回転子支持部材１７，２１０を金属板にてプレス加工して形成して説明したが、例えば鋳造、あるいは合成樹脂などにて射出形成するなど、いずれの方法で形成してもよい。
【００５４】
そして、第１の実施の形態の覆い部１７ｃおよび第２の実施の形態の突出部２１２を組み合わせた双方を有する構成としてもよい。この構成により、フラッタの発生をほとんど防止できる。
【００５５】
その他、本発明の実施の際の具体的な構造および手順は、本発明の目的を達成できる範囲で他の構造などに適宜変更できる。
【実施例】
【００５６】
次に、上述した第１の実施の形態の覆い部１７ｃおよび第２の実施の形態の突出部２１２によりフラッタが抑制される状況を確認する実験結果について説明する。図６は、実施例１の試験体を示す平面図である。図７は、実施例２の試験体を示す平面図である。図８は、実施例３の試験体を示す平面図である。図９は、実験結果における光ディスクの傾斜状況を表形式で示す実験結果図である。図１０は、実施例６の結果を示すグラフである。図１１は、比較例の結果を示すグラフである。
【００５７】
実験に利用する回転子支持部材としては、覆い部１７ｃおよび突出部２１２を有しない従来の回転子支持部材を比較例として、図６に示す第１の実施の形態に対応した形状、比較例のものに適宜突出部２１２を設けたもの、図６に示すものに突出部２１２を設けたもので検討した。そして、突出部２１２としては、図７および図８に示すように、アクリル板にて適宜四角板状に形成した突出部材２１２ａを、比較例の回転子支持部材３００に所定の位置に粘着テープ２１２ｂにて貼り付けて形成した。なお、粘着テープ２１２ｂは、突出部２１２と同様に、図７に示すように周縁が傾斜する状態や図８に示すように回転子支持部材３００の縁の傾斜に連続する状態に周縁が傾斜する状態に台形状に突出する状態に貼り付ける。
【００５８】
そして、実験では、図６に示す第１の実施の形態に対応した試験体を用いて構成したディスクドライブを実施例１、図７に示すように比較例のものに支持凹部１７ｂの中心から光ディスク２８の半径に対応する５２ｍｍ離間した位置に長さ寸法が１０ｍｍ、幅寸法が１０ｍｍ、厚さ寸法が２．８５ｍｍの突出部材を貼り付けた試験体を用いて構成したディスクドライブを実施例２、比較例のものに実施例２の突起部材を比較例のものに図８に示すように縁に亘って貼り付けた試験体を用いて構成したディスクドライブを実施例３、実施例３の突起部材を長さ寸法が５ｍｍ、幅寸法が１０ｍｍ、厚さ寸法が２．８５ｍｍとしたものを実施例４、実施例３の突起部材を長さ寸法が１５ｍｍ、幅寸法が１０ｍｍ、厚さ寸法が２．８５ｍｍとしたものを実施例５、実施例３の突起部材を長さ寸法が１０ｍｍ、幅寸法が１０ｍｍ、厚さ寸法が２．４５ｍｍとしたものを実施例６、実施例１の試験体に実施例２と同様の位置に長さ寸法が１０ｍｍ、幅寸法が１０ｍｍ、厚さ寸法が１．５ｍｍの突起部材を貼り付けたものを実施例７、実施例１の試験体に実施例３と同様の位置に長さ寸法が１０ｍｍ、幅寸法が１０ｍｍ、厚さ寸法が２．８５ｍｍの突起部材を貼り付けたものを実施例８とした。
【００５９】
また、実験としては、各試験体に略円形の測定孔を穿設し、回転する光ディスク２８の傾斜状態をレーザ光を用いて測定した。具体的には、ピックアップ４５に対向する位置で回転する光ディスク２８にレーザ光を照射し、反射したレーザ光の戻り位置で傾き量を測定した。傾き量は、光ディスク２８を６０００ｒｐｍで回転したときを基準とし、光ディスク２８の接線方向の傾きであるタンジェンシャル（Ｔａｎ）と、これに対して垂直となる光ディスク２８の半径方向の傾きであるラジアル（Ｒａｄ）とを測定した。この実験結果を図９に示す。また、実施例６の結果をグラフ化したものを図１０に示し、比較例の結果をグラフ化したものを図１１に示す。
【００６０】
これらの結果から、実施例１の結果から、覆い部１７ｃを設けて凹部１６ａ３を覆うことにより、比較例に対してフラッタが低減していることが分かる。また、実施例１ないし実施例６の結果から、凹部１６ａ３を覆わずとも、突出部２１２を設けることにより、比較例に対してフラッタが低減していることがわかる。さらには、縁に連続する状態に突出部２１２を設けることでフラッタを低減することがわかる。また、実施例４および実施例５から突出部２１２の長さ寸法が異なると、フラッタの減少が逆転すなわち光ディスク２８の傾斜が逆となることがわかる。このことから、長さ寸法が５ｍｍから１５ｍｍの間に、突出部２１２の適切な長さ寸法があることがわかる。具体的には実施例２ないし実施例４の結果から、長さ寸法が１０ｍｍ、幅寸法が１０ｍｍのものが好ましいことがわかる。さらに、実施例７および実施例８と実施例３および実施例６との結果から、突出部２１２が突出する高さ寸法にも適切な寸法があることがわかる。これらの実験結果から、突出部２１２を設ける構成では、実施例６の形状とすることが最も好ましいことがわかる。さらには、実施例１、実施例７および実施例８に示す結果から、凹部１６ａ３を覆うとともに突出部２１２を設けることにより、さらにフラッタを低減できることがわかる。
【００６１】
〔実施の形態の効果〕
上述したように、光ディスク２８が略載置される平面１６ａａを有した載置凹部１６ａ１の上方を略覆って光ディスク２８を略同軸上に収容する略円筒形の収容空間１８を区画する回転子支持部材１７に、平面１６ａａの外側に位置する凹部１６ａ３を、開口部１６ａ２を覆う間隔よりも狭い間隔で覆う覆い部１７ｃを設ける。このため、光ディスク２８の回転により凹部１６ａ３を介した収容空間１８とその外部との空気の出入りが抑制され、気流や光ディスク２８の両面における圧力差などにより発生するフラッタを低減でき、安定して光ディスク２８を回転できる。
【００６２】
また、光ディスク２８が略載置される平面１６ａａを有した載置凹部１６ａ１の上方を略覆って光ディスク２８を略同軸上に収容する略円筒形の収容空間１８を区画する回転子支持部材１７に、収容空間１８を区画し光ディスク２８に対向する下面で光ディスク２８の外周縁の少なくとも一部に先端が対向する状態に突出部２１２を突設する。このため、光ディス２８の回転により生じる気流が突出部２１２により光ディスク２８に向けて吹き付けられる状態となり、フラッタにより傾斜する状態を押さえ付けるように気流が作用し、気流や光ディスク２８の両面における圧力差などにより発生するフラッタを低減でき、仮にフラッタが生じてもフラッタにより傾斜が大きくなる光ディスク２８の記録面ではない面の外周側が突出部２１２の先端に当接して光ティスク２８の傾きを抑制できる。
【図面の簡単な説明】
【００６３】
【図１】本発明における第１の実施の形態に係るディスクドライブを示す分解斜視図である。
【図２】前記第１の実施の形態におけるディスクトレイと回転子支持部材との関係を示す平面図である。
【図３】前記図２における側面断面図である。
【図４】本発明における第２の実施の形態に係るディスクドライブのディスクトレイと回転子支持部材との関係を示す平面図である。
【図５】前記図４における正面断面図である。
【図６】本発明におけるフラッタが抑制される状況を確認する実験における実施例１の試験体を示す平面図である。
【図７】前記実験における実施例２の試験体を示す平面図である。
【図８】前記実験における実施例３の試験体を示す平面図である。
【図９】前記実験における光ディスクの傾斜状況を表形式で示す実験結果図である。
【図１０】前記実験における実施例６の結果を示すグラフである。
【図１１】前記実験における比較例の結果を示すグラフである。
【符号の説明】
【００６４】
１６ａ……トレイであるトレイ部
１６ａａ…平面部である平面
１６ａ１…下部収容凹部としての載置凹部
１６ａ２…内側開口部である開口部
１６ａ３…外側開口部としての凹部
１７，２１０………覆い体としての支持部材である回転子支持部材
１７ｃ……覆い部
１８………収容空間
２５………回転駆動部としてのディスク回転駆動手段
２７………挾持部材としてのターンテーブル
２８………ディスク状記録媒体としての光ディスク
２９………挾持部材としての回転子
４５………情報処理部としてのピックアップ
１００………ディスク装置としてのディスクドライブ
２１２………突出部
【図１】
2005135541.tif 000003
【図２】
2005135541.tif 000004
【図３】
2005135541.tif 000005
【図４】
2005135541.tif 000006
【図５】
2005135541.tif 000007
【図６】
2005135541.tif 000008
【図７】
2005135541.tif 000009
【図８】
2005135541.tif 000010
【図９】
2005135541.tif 000011
【図１０】
2005135541.tif 000012
【図１１】
2005135541.tif 000013